(57)【要約】【課題】集合住宅で徘徊している特定者が他住人のインターホン子機の呼出ボタンを誤って押下した場合に、特定者の居場所を特定者の家族へ通知したい。【解決手段】特定者がインターホン子機３の呼出ボタンを押下した時に、インターホン親機２が特定のモードに設定されており、インターホン親機２の操作部２０７で特定の操作を検出した場合、管理装置１へ映像信号を転送し、管理装置１は受信した映像信号と特定者情報記憶部１０４に登録されている特定者画像を対比する。一致する特定者画像が有る場合に特定者情報記憶部１０４内の通報先インターホン番号を抽出して、通報先インターホン番号に対応するインターホン親機２に、特定者を撮像したインターホン子機３のインターホン位置情報、特定者氏名、撮像したカメラ画像を送信し、インターホン親機２の表示部２０３に表示する。【選択図】  図１
2017041718.tif 000002
【特許請求の範囲】
【請求項１】
呼出ボタンが押下された場合に、呼出信号および前記呼出ボタンを押下した者を撮像した映像信号を、自インターホン子機を収容するインターホン親機へ送信する複数のインターホン子機と、前記インターホン子機を収容する複数のインターホン親機と、前記複数のインターホン親機を収容する管理装置と、を含むインターホンシステムであって、
前記インターホン親機は、前記呼出信号および前記映像信号を受信した場合に、自インターホン親機が備える表示部に前記呼出ボタンが押下された旨を音または光で通知すると共に、前記受信した映像信号を再生して表示し、予め定められた特定操作が為された場合または所定の動作モードが設定されていた場合に、前記受信した映像信号を前記管理装置へ転送し、
前記管理装置は、１以上の特定者を撮像した映像信号を前記インターホン親機と対応付けて登録する特定者映像登録手段を有し、いずれかの前記インターホン親機から前記呼出ボタンを押下した者を撮像した映像信号を受信した場合に、前記受信した映像信号と前記特定者映像登録手段に登録されている映像信号を対比し、前記受信した映像信号がいずれかの前記特定者を撮像した映像信号であると判定したならば、当該特定者に対応付けられているインターホン親機へ前記映像信号を送信してきたインターホン親機または前記特定者を撮像したインターホン子機が設置されている位置に係る情報を通知することを特徴とする特定者情報通知機能を有するインターホンシステム。
【発明の詳細な説明】
【技術分野】
【０００１】
本発明は、老人が集合住宅内を徘徊し、誤って他住人のインターホン子機の呼出ボタンを押下した場合に、家族が老人の居場所を特定することができるインターホンシステムに関する。
【背景技術】
【０００２】
近年、高齢化が進み、徘徊する老人が増えてきている。団地や集合住宅においても高齢化が進み、徘徊老人が自分の家と間違えて他住人のインターホン子機の呼出ボタンを押下してしまい、トラブルとなるケースが増えている。
【０００３】
特許文献１には、訪問者が間違えて隣の家のインターホンの呼出ボタンを押した場合に、本来呼出すべき家のインターホン親機を自動で呼出すインターホンシステムが記載されている。
【０００４】
このインターホンシステムは、予め隣の家のインターホンシステムと有線接続しておき、互いの家のインターホン親機に呼出を許可する者の画像情報（顔画像情報）を登録しておく。そして、訪問者が間違えて隣の家のインターホンボタンを押下してしまうと、押下されたインターホンは、自インターホンに接続されたカメラで訪問者の画像を撮像し、撮像した画像情報とお互いのインターホンに登録された画像情報を比較し、撮像した画像情報が他方のインターホンに登録されていた場合に、他方のインターホンを呼出す技術である。この技術を適用することにより、徘徊老人が間違えてインターホン子機の呼出ボタンを押した場合に、該老人宅のインターホン親機の家族を呼出すことができる。
【先行技術文献】
【特許文献】
【０００５】
【特許文献１】特開２００７−９６８３１号公報
【発明の概要】
【発明が解決しようとする課題】
【０００６】
しかしながら、特許文献１の技術は、顔見知りの隣人同士の住宅を前提とした技術であり、集合住宅のように顔見知りでもない複数の家族が集まって生活するような場合には適用できない。
【０００７】
本発明は、上記問題に鑑みてなされたものであり、その課題は、集合住宅であっても徘徊老人が誤って他の住宅のインターホン子機の呼出ボタンを押下した場合、当該老人の家族が老人の居場所を特定することのできるインターホンシステムを提供することにある。
【課題を解決するための手段】
【０００８】
上記課題を解決するため、本発明は、呼出ボタンが押下された場合に、呼出信号および前記呼出ボタンを押下した者を撮像した映像信号を、自インターホン子機を収容するインターホン親機へ送信する複数のインターホン子機と、前記インターホン子機を収容する複数のインターホン親機と、前記複数のインターホン親機を収容する管理装置と、を含むインターホンシステムであって、前記インターホン親機は、前記呼出信号および前記映像信号を受信した場合に、自インターホン親機が備える表示部に前記呼出ボタンが押下された旨を音または光で通知すると共に、前記受信した映像信号を再生して表示し、予め定められた特定操作が為された場合または所定の動作モードが設定されていた場合に、前記受信した映像信号を前記管理装置へ転送し、前記管理装置は、１以上の特定者を撮像した映像信号を前記インターホン親機と対応付けて登録する特定者映像登録手段を有し、いずれかの前記インターホン親機から前記呼出ボタンを押下した者を撮像した映像信号を受信した場合に、前記受信した映像信号と前記特定者映像登録手段に登録されている映像信号を対比し、前記受信した映像信号がいずれかの前記特定者を撮像した映像信号であると判定したならば、当該特定者に対応付けられているインターホン親機へ前記映像信号を送信してきたインターホン親機または前記特定者を撮像したインターホン子機が設置されている位置に係る情報を通知することを特徴とする。
【発明の効果】
【０００９】
本発明によれば、集合住宅において徘徊している老人が誤って他の住宅のインターホン子機の呼出ボタンを押下した場合、各住宅に設置されたインターホン親機を収容する管理装置が、老人宅を特定し、該老人宅のインターホン親機へ報知し、呼出ボタンを押下されたインターホン子機が設置されている位置に係る情報を通知する。これにより、老人宅の家族は、老人の居場所を特定することができる。
【図面の簡単な説明】
【００１０】
【図１】図１は、本発明の全体構成図である。
【図２】図２は、本発明の管理装置の機能ブロック図である。
【図３】図３は、本発明のインターホン親機とインターホン子機の機能ブロック図である。
【図４】図４は、本発明の管理装置の動作フロー図である。
【図５】図５は、本発明のインターホン親機の動作フロー図である。
【図６】図６は、管理装置の特定者情報記憶部に格納された特定者情報テーブルを模式的に表した図である。
【図７】図７は、管理装置のインターホン位置情報（地図情報）記憶部に格納されたインターホン位置情報テーブルを模式的に表した図である。
【発明を実施するための形態】
【００１１】
以下、本発明の実施形態について図面を用いながら説明する。
【００１２】
図１は、本発明の全体構成図である。図示するように、本発明のインターホンシステムは、管理装置１と、管理装置１に収容されるインターホン親機２と、インターホン親機２に接続されるインターホン子機３とから構成される。
【００１３】
図２は、本発明の管理装置１の機能ブロック図である。図示するように、管理装置１は、主制御部１０１と、インターホン親機インターフェース１０２と、画像認証部１０３と、特定者情報記憶部１０４と、インターホン位置情報（地図情報）記憶部１０５と、カメラ画像記録部１０６とから構成される。
【００１４】
主制御部１０１は、インターホン親機インターフェース１０２を通してインターホン親機２からカメラ画像を受信するとカメラ画像の送信元のインターホン番号を抽出し、受信したカメラ画像をカメラ画像記録部１０６に記録する。また、主制御部１０１は、カメラ画像記録部１０６に記録したカメラ画像を画像認証部１０３に送信し、画像認証部１０３に画像認証要求を指示する。また、主制御部１０１は、画像認証部１０３から後述する一致した画像がある旨の通知と、一致した特定者画像に対応付けられた特定者宅の通報先インターホン番号と、特定者氏名を受信すると、カメラ画像の送信元のインターホン親機２に画像が一致した旨の画面表示指示を通知する。また、主制御部１０１は、画像認証部１０３から後述する一致した画像がない旨の通知を受けると、カメラ画像の送信元のインターホン番号のインターホン親機２へ一致しない旨の画面表示指示を通知する。また、主制御部１０１は、画像認証部１０３から通知された通報先インターホン番号に該当するインターホン親機へ接続指示を通知する。また、主制御部１０１は、前記抽出したカメラ画像の送信元のインターホン番号とインターホン位置情報（地図情報）記憶部１０５のインターホン位置情報テーブル１０５０の要求元インターホン番号フィールド１０５１を比較し一致したら、該当の地図情報フィールド１０５２の地図情報を特定する。また、主制御部１０１は、カメラ画像と、前記特定した要求元のインターホン親機２の地図情報と、特定者氏名を通報先のインターホン親機２へ送信する。
【００１５】
インターホン親機インターフェース１０２は、インターホン親機２と接続するための接続インターフェースである。
【００１６】
画像認証部１０３は、主制御部１から画像認証要求を受信するとカメラ画像記録部１０６に記憶されているカメラ画像に対して顔検出処理を行い、カメラ画像から顔画像領域を抽出する。また、画像認証部１０３は、抽出した顔画像領域から、顔のパーツの相対位置や大きさ、目や鼻やほお骨やあごの形等の特徴が一致する画像があるか、特定者情報記憶部１０４に記憶され後述する特定者情報テーブル１０４０の特定者画像フィールド１０４１に登録されている画像と比較し、一致した画像があれば、一致した特定者画像フィールド１０４１に対応付けられた通報先インターホン番号フィールド１０４２に記憶されている特定者宅のインターホン親機２のインターホン番号と、特定者氏名フィールド１０４３に記憶されている特定者の氏名と、一致した画像がある旨を主制御部１０１に通知する。一致した画像がなければ、一致した画像がない旨を主制御部１０１に通知する。
【００１７】
特定者情報記憶部１０４は、特定者の情報である「特定者の画像」と「通報先のインターホン番号」と「特定者の氏名」を記憶する記憶部である。
【００１８】
図６は、管理装置の特定者情報記憶部１０４に格納された特定者情報テーブルを模式的に表した図である。
【００１９】
図示するように、特定者情報テーブル１０４０は、特定者画像フィールド１０４１と、通報先インターホン番号フィールド１０４２と、特定者氏名フィールド１０４３と、から構成される。特定者画像フィールド１０４１は、「特定者の顔画像」を記憶する。通報先インターホン番号フィールド１０４２は、「特定者や特定者の家族が住んでいる部屋に設置されているインターホンのインターホン番号」を記憶する。特定者氏名フィールド１０４３は、「特定者の氏名」を記憶する。
【００２０】
インターホン位置情報（地図情報）記憶部１０５は、「管理装置へカメラ画像を送信したインターホン親機２のインターホン番号」と「管理装置へカメラ画像を送信したインターホン親機２が設置された位置を示す地図情報」を記憶する記憶部である。
【００２１】
図７は、管理装置のインターホン位置情報（地図情報）記憶部１０５に格納されたインターホン位置情報テーブルを模式的に表した図である。
【００２２】
図示するように、インターホン位置情報テーブル１０５０は、要求元インターホン番号フィールド１０５１と、地図情報フィールド１０５２と、から構成される。要求元インターホン番号フィールド１０５１は、「管理装置１へカメラ画像を送信したインターホン親機２のインターホン番号」を記憶する。地図情報フィールド１０５２は、「管理装置へカメラ画像を送信したインターホン親機２の地図情報」を記憶する。
【００２３】
カメラ画像記録部１０６は、主制御部１０１から受信したカメラ画像を記憶する記憶部である。
【００２４】
図３は、本発明のインターホン親機とインターホン子機の機能ブロック図である。図示するように、インターホン親機２は、インターホン親機主制御部２０１と、管理装置インターフェース２０２と、表示部２０３と、表示制御部２０４と、映像信号復調部２０５と、インターホン子機インターフェース２０６と、操作部２０７と、音声処理部２０８と、マイク２０９と、スピーカ２１０と、動作モード記憶部２１１とから構成される。
【００２５】
インターホン親機主制御部２０１は、インターホン子機３から呼出ボタン押下による呼出信号を受信すると、インターホン子機３からの映像信号を表示するよう表示制御部２０４に表示要求を指示する。
【００２６】
また、インターホン親機主制御部２０１は、操作部２０７から応答操作を受け付けると音声処理部２０８に音声接続要求を指示する。また、インターホン親機主制御部２０１は、操作部２０７から予め定められた特定操作（以下、徘徊者通報操作と呼称）が為された場合に、表示制御部２０４に管理装置１への映像信号送信を指示する。
【００２７】
また、インターホン親機主制御部２０１は、動作モード記憶部２１１へ操作部２０７からの徘徊者通報操作を待ち受ける徘徊者通報モードが設定されているか否かにより、操作部２０７からの徘徊者通報操作を待ち受けるか、通常のインターホン処理を実行するかを判別する。
【００２８】
また、インターホン親機主制御部２０１は、管理装置１から管理装置インターフェース２０２を通して画面表示指示（一致あり）を受信した場合は、表示制御部２０４に表示要求を送信し、表示制御部２０４は表示部２０３に画像が一致した旨の表示をする。画面表示指示（一致なし）を受信した場合は、表示制御部２０４に表示要求を送信し、表示制御部２０４は表示部２０３に画像が一致しない旨の表示をする。
【００２９】
また、インターホン親機主制御部２０１は、スピーカ２１０へ呼出音出力信号を送出する。
【００３０】
管理装置インターフェース２０２は管理装置１と接続するための接続インターフェースである。
【００３１】
表示部２０３は、表示制御部２０４からの表示指示を受けてインターホン子機３からのカメラ映像を表示する。
【００３２】
表示制御部２０４は、インターホン親機主制御部２０１から表示要求を受けると表示部２０３にインターホン子機３からのカメラ映像を表示するよう指示する。また、表示制御部２０４は、インターホン親機主制御部２０１から映像信号送信要求を受けるとインターホン子機３からのカメラ映像をキャプチャしたカメラ画像を管理装置インターフェース２０２を通して管理装置１に送信する。
【００３３】
映像信号復調部２０５は、インターホン子機インターフェース２０６を通してインターホン子機３からのカメラ映像の変調信号を復調し表示部に表示できるようにする。
【００３４】
インターホン子機インターフェース２０６は、インターホン子機３と接続するための接続インターフェースである。
【００３５】
操作部２０７は、インターホン子機３からの呼出信号に応答するための応答操作や管理装置へカメラ画像を送信するための徘徊者通報操作が為された場合に、インターホン親機主制御部２０１に操作内容を送信する。また、操作部２０７は、動作モード記憶部２１１へ徘徊者通報モードの設定要求や解除要求を送信する。
【００３６】
音声処理部２０８は、インターホン親機主制御部２０１から音声接続要求を受けるとマイク２０９とスピーカ２１０をインターホン子機インターフェース２０６に接続し、インターホン子機３とインターホン親機２とで通話ができるようにする。
【００３７】
マイク２０９は、音声信号を音声処理部２０８に送信する。
【００３８】
スピーカ２１０は、音声処理部２０８からの音声信号を出力する。
【００３９】
また、スピーカ２１０は、インターホン親機主制御部２０１からの呼出音出力信号を音響変換し呼出音を送出する。
【００４０】
動作モード記憶部２１１は、操作部２０７から徘徊者通報モードの設定要求を受けると動作モードを徘徊者通報モードに設定し、操作部２０７から徘徊者通報モードの解除要求を受けると動作モードから徘徊者通報モードを解除する。
【００４１】
図示するように、インターホン子機３は、インターホン子機主制御部３０１と、音声処理部３０２と、映像信号変調部３０３と、撮像処理部３０４と、撮像制御部３０５と、カメラ３０６と、呼出ボタン３０７と、マイク３０８と、スピーカ３０９とから構成される。
【００４２】
インターホン子機主制御部３０１は、呼出ボタン３０７から呼出ボタン押下を受信すると、呼出信号をインターホン親機２に送信すると共に撮像制御部３０５にカメラ映像撮影要求を指示する。
【００４３】
また、インターホン子機主制御部３０１は、音声処理部３０２に音声接続要求を指示する。
【００４４】
音声処理部３０２は、インターホン子機主制御部３０１から音声接続要求を受けるとマイク３０８とスピーカ３０９をインターホン親機２と接続し、インターホン子機３とインターホン親機２とで通話ができるようにする。
【００４５】
映像信号変調部３０３は、映像信号の周波数変調を行ってＦＭ信号をインターホン親機２に出力する。
【００４６】
撮像処理部３０４はカメラ３０６から出力された信号を処理して映像信号を映像信号変調部３０３に出力する。
【００４７】
撮像制御部３０５は、インターホン子機主制御部３０１のカメラ映像撮影要求を受けてカメラ３０６に映像を撮像するよう指示する。
【００４８】
カメラ３０６は、撮像制御部３０５の指示にて映像を撮像開始／停止する。
【００４９】
呼出ボタン３０７は、呼出ボタンが押下された場合に、インターホン子機主制御部３０１に呼出ボタン押下を送信する。
【００５０】
マイク３０８は、音声信号を音声処理部３０２に送信する。
【００５１】
スピーカ３０９は、音声処理部３０２からの音声信号を出力する。
【００５２】
図４は、本発明の管理装置の動作フロー図である。本フローは管理装置１とインターホン親機２とインターホン子機３の電源が投入された状態から開始される。
【００５３】
管理装置１は、インターホン親機２からカメラ画像を受信すると（Ｓ４０１、Ｙｅｓ）、カメラ画像の送信元インターホン番号を抽出し（Ｓ４０２）、カメラ画像を記録（Ｓ４０３）し、カメラ画像と一致した特定者画像を特定者情報テーブルから検索する（Ｓ４０４）。
【００５４】
一致した特定者画像があった場合（Ｓ４０５、Ｙｅｓ）、管理装置１は、カメラ画像の送信元のインターホン親機２へ画面表示指示（一致あり）を送信し（Ｓ４０６）、一致する特定者画像に対応する通報先インターホン番号を特定し（Ｓ４０８）、カメラ画像の送信元インターホン番号に対応付けられた地図情報を特定し、インターホン位置情報を作成し（Ｓ４０９）、カメラ画像とインターホン位置情報、特定者氏名を通報先インターホン親機へ送信し（Ｓ４１０）、ステップ４０１に戻る。
【００５５】
一致する特定者画像がなかった場合（Ｓ４０５、Ｎｏ）、管理装置１は、要求元のインターホン親機２へ画面表示指示（一致なし）を送信し（Ｓ４０７）、ステップ４０１に戻る。
【００５６】
図５は、本発明のインターホン親機の動作フロー図である。本フローは管理装置１とインターホン親機２とインターホン子機３の電源が投入された状態から開始される。
【００５７】
まず、インターホン親機２は、インターホン子機３から呼出信号とカメラ映像を受信したか（Ｓ５０１）、管理装置１からインターホン位置情報、カメラ画像、特定者氏名を受信したか（Ｓ５０２）、何れかの状態になるのを待つ。
【００５８】
インターホン子機３から呼出信号とカメラ映像を受信した場合（Ｓ５０１、Ｙｅｓ）、インターホン親機２は呼出音をスピーカ２１０から送出し、インターホン子機２から受信したカメラ映像を再生する（Ｓ５０３）。
【００５９】
次に、インターホン親機２は徘徊者通報モードか否かを判定する（Ｓ５０４）。
【００６０】
インターホン親機２が徘徊者通報モードでない場合（Ｓ５０４、Ｎｏ）、インターホン親機２は一般的なインターホン親機と同じユーザを呼出す通常インターホン処理を実行する（Ｓ５１７）。そしてステップ５０１へ戻る。
【００６１】
インターホン親機２が徘徊者通報モードの場合（Ｓ５０４、Ｙｅｓ）、インターホン親機２は操作部２０７で徘徊者通報操作を受付けたか（Ｓ５０５）、操作部２０７で応答操作を受付けたか（Ｓ５１０）、一定時間経過したか（Ｓ５１５）、のいずれかの状態になるのを待つ。
【００６２】
操作部２０７で徘徊者通報操作を受付けた場合（Ｓ５０５、Ｙｅｓ）、インターホン子機３のカメラ映像からカメラ画像をキャプチャし（Ｓ５０６）、キャプチャした画像を管理装置１に送信する（Ｓ５０７）。そして、インターホン親機２は、管理装置１から画面表示指示を受信するのを待つ（Ｓ５０８）。
【００６３】
管理装置１から画面表示指示を受信した場合（Ｓ５０８、Ｙｅｓ）、インターホン親機２は受信した画面表示指示の内容（一致ありまたは一致なし）を画面に表示する（Ｓ５０９）。
【００６４】
具体的には、画面表示指示が一致ありの場合、表示部２０３に特定者宅のインターホン親機２へ通報した旨の表示をする。また、画面表示指示が一致なしの場合、表示部２０３に応答操作を促す旨の表示をする。
【００６５】
そして、インターホン親機２の操作部２０７で応答操作したか（Ｓ５１０）、一定時間経過したか（Ｓ５１５）、のいずれかの状態になるのを待つ。
【００６６】
インターホン親機２の操作部２０７で応答操作を受付けた場合（Ｓ５１０、Ｙｅｓ）、インターホン親機２は、呼出音を停止し（Ｓ５１１）、インターホン子機３と通話を確立し（Ｓ５１２）、操作部２０７で切断操作を受付けるのを待つ（Ｓ５１３）。
【００６７】
インターホン親機２は、操作部２０７で切断操作を受付けた場合（Ｓ５１３、Ｙｅｓ）、インターホン子機３と呼切断処理をし（Ｓ５１４）、ステップ５０１に戻る。
【００６８】
インターホン親機２の操作部２０７で応答操作をせず（Ｓ５１０、Ｎｏ）、一定時間経過した場合（Ｓ５１５、Ｙｅｓ）、呼出音を停止し（Ｓ５１６）、ステップ５０１に戻る。
【００６９】
管理装置１からインターホン位置情報、カメラ画像、特定者氏名を受信した場合（Ｓ５０２、Ｙｅｓ）、インターホン位置情報、特定者氏名、カメラ画像を表示部２０３に表示し（Ｓ５１９）、インターホン親機２の操作部２０７で呼出音停止操作を受付けるのを待つ（Ｓ５２０）。
【００７０】
インターホン親機２の操作部２０７で呼出音停止操作を受付けた場合（Ｓ５２０、Ｙｅｓ）、呼出音を停止し（Ｓ５２１）、ステップ５０１に戻る。
【００７１】
以上、本発明の実施形態について説明した。
【００７２】
本発明によれば、インターホン子機３の呼出ボタンが押下されたら、インターホン親機２は、インターホン子機３で撮像したカメラ映像からカメラ画像をキャプチャし、カメラ画像を管理装置１へ送信する。管理装置１は、インターホン親機２から送信されたカメラ画像と特定者情報記憶部１０４に登録されている特定者画像を比較して顔画像の特徴が一致する画像がある場合に、特定者情報記憶部１０４に登録されている通報先インターホン番号と一致するインターホン親機２へインターホン位置情報（地図情報）記憶部１０５に登録されているインターホン位置情報を送信し、インターホン親機２は表示部２０３へインターホン位置情報を表示する。
【００７３】
これにより、集合住宅内で徘徊している老人が誤って他の住宅のインターホン子機の呼出ボタンを押下した場合、該老人に対応付けられているインターホン親機２へ呼出ボタンを押下されたインターホン子機が設置されている位置に係る情報が通知され、通報先のインターホン親機２で対応した該老人の家族は、老人の居場所を特定することができる。
【００７４】
尚、本発明を実施する形態では、徘徊している老人が誤って他の住宅のインターホン子機の呼出ボタンを押下した場合を例にして説明しているが、本願はこれに限定されない。
【００７５】
例えば、不審者を検出するようにしてもよい。インターホン子機３で撮像したカメラ画像と管理装置１に登録されている特定者画像を管理装置１が比較した際、顔画像の特徴が一致する画像がない場合に、当該画像をカメラ画像記録部１０６に一時的に記憶しておき、一定時間の間に他住人のインターホン子機３から同じ顔画像を検出した場合に、集合住宅を物色している不審者と判断して、特定者情報記憶部１０４に不審者画像として記憶し、インターホン親機２の表示部２０３に不審者である可能性がある旨を表示するもしくは警察などの特定の通報先に自動通報するようにしても良い。
【００７６】
または例えば、迷子の子供を検出するようにしてもよい。老人の顔画像の代わりに、子供の顔画像を登録しておき、迷子で泣いている子供を、近くの住人が保護し、住人宅のインターホン子機３で子供の画像を撮像することで、親に通知することができる。これにより住人は泣いている子供から名前等の情報を聞き出す作業が不要となる。
【符号の説明】
【００７７】
１・・・管理装置
１０１・・・主制御部、
１０２・・・インターホン親機インターフェース
１０３・・・画像認証部
１０４・・・特定者情報記憶部
１０５・・・インターホン位置情報（地図情報）記憶部
１０６・・・カメラ画像記録部
２・・・インターホン親機
２０１・・・インターホン親機主制御部
２０２・・・管理装置インターフェース
２０３・・・表示部
２０４・・・表示制御部
２０５・・・映像信号復調部
２０６・・・インターホン子機インターフェース
２０７・・・操作部
２０８・・・音声処理部
２０９・・・マイク
２１０・・・スピーカ
２１１・・・動作モード記憶部
３・・・インターホン子機
３０１・・・インターホン子機主制御部
３０２・・・音声処理部
３０３・・・映像信号変調部
３０４・・・撮像処理部
３０５・・・撮像制御部
３０６・・・カメラ
３０７・・・呼出ボタン
３０８・・・マイク
３０９・・・スピーカ
【図１】
2017041718.tif 000003
【図２】
2017041718.tif 000004
【図３】
2017041718.tif 000005
【図４】
2017041718.tif 000006
【図５】
2017041718.tif 000007
【図６】
2017041718.tif 000008
【図７】
2017041718.tif 000009